(57)【特許請求の範囲】
【請求項１】
バストを保持する一対のカップ相当部と、一対の前記カップ相当部の上縁部にそれぞれ連結された一対の肩ストラップ相当部と、一対の前記カップ相当部の脇側縁部にそれぞれ連結された一対の脇部と、一対の前記カップ相当部及び一対の前記脇部の下縁部にそれぞれ連結されたアンダーテープ相当部とを備え、
前記肩ストラップ相当部又は前記カップ相当部の脇側上縁部近傍から脇側のバージスラインに沿うように前記カップ相当部と前記脇部との間を湾曲し前記アンダーテープ相当部に至る第１線状領域、及び、前記第１線状領域がバージスラインに沿って湾曲している位置と前記脇部を挟んで前記第１線状領域と隔てられた位置の前記アンダーテープ相当部とを連結するように形成された第２線状領域から成る第１所定領域の編み組織の伸縮性が前記第１所定領域に隣接する領域の編み組織の伸縮性よりも低くなるように形成されていることを特徴とする編み立て成型のカップ付き女性用衣類。
【請求項２】
前記第２線状領域と、前記第１線状領域と、前記アンダーテープ相当部とで略三角形を形成することを特徴とする請求項１記載の編み立て成型のカップ付き女性用衣類。
【請求項３】
前記第１線状領域が脇側後方に凸の略円弧状に構成されたことを特徴とする請求項１又は請求項２に記載の編み立て成型のカップ付き女性用衣類。
【請求項４】
前記第２線状領域が前記第１線状領域の脇側最突出部近傍から脇側後方へ分岐することを特徴とする請求項１〜３の何れか１項に記載の編み立て成型のカップ付き女性用衣類。
【請求項５】
前記第２線状領域の伸縮性が前記第１線状領域の伸縮性よりも低くなるように構成されたことを特徴とする請求項１〜４の何れか１項に記載の編み立て成型のカップ付き女性用衣類。
【請求項６】
前記第２線状領域に隣接するカップ脇部は、カップ上部に比べて伸縮性が低くなるよう構成されたことを特徴とする請求項１〜５の何れか１項に記載の編み立て成型のカップ付き女性用衣類。
【請求項７】
前記第１所定領域及び前記アンダーテープ相当部に囲まれた第２所定領域の編み組織は、前記第１所定領域に隣接する領域のうち前記第２所定領域を含まない領域の編み組織よりも伸縮性が低くなるように形成されていることを特徴とする請求項１〜６の何れか１項に記載の編み立て成型のカップ付き女性用衣類。
【発明の詳細な説明】
【０００１】
【発明の属する技術分野】
本発明は、ブラジャー等のカップ付き女性用衣類に関する。かかるカップ付き女性用衣類には、ブラジャー、ブラスリップ、ブラキャミソール、ボディスーツ、ボディテディ等のファンデーション衣類の他、水着やレオタード等も含まれる。
【０００２】
なお、本明細書で「伸縮性が低い」とは、外力に対し伸縮しにくく、伸ばした場合に強い反発力（縮む力）を生じる性質を意味する。また、「伸縮性が高い」とは、外力に対し伸縮し易く、伸ばした場合に生じる反発力（縮む力）が弱いという性質を意味する。
【０００３】
【従来の技術】
ブラジャーには、バストの造形及び保護を行う左右のカップ部の周縁部にワイヤーを使用したワイヤーブラジャーと、ワイヤーを使用していないノンワイヤーブラジャーとがある。このうちワイヤーブラジャーでは、ワイヤーを用いることで、カップが横方向に引かれバストがつぶれることを抑制しているのでバストを立体的に造形することができる。ところが、身体のサイズに合わないワイヤーブラジャーを着用した場合等にワイヤーが皮膚に食い込みワイヤー跡が皮膚に残るおそれがあるといった問題点や、洗濯によりワイヤーが変形するおそれがあるといった問題点があった。
【０００４】
これに対し、ノンワイヤーブラジャーでは、上記問題点は無く、ワイヤーブラジャーに比して着け心地が楽と言われているが、カップが横方向に引かれてバストがつぶれやすく、バストを立体的に造形すること、即ち、自然な丸みで造形補型することが容易でない、という問題点があった。
【０００５】
【発明が解決しようとする課題】
本発明は、上記課題を解決するために成されたものであり、ワイヤーを用いることなく、自然な着け心地でバストを立体的に造形することができるカップ付き女性用衣類を提供することを目的とする。
【０００６】
【課題を解決するための手段】
上記目的を達成するために、本発明に係る編み立て成型のカップ付き女性用衣類は、請求項１のように、バストを保持する一対のカップ相当部と、一対の前記カップ相当部の上縁部にそれぞれ連結された一対の肩ストラップ相当部と、一対の前記カップ相当部の脇側縁部にそれぞれ連結された一対の脇部と、一対のカップ相当部及び一対の脇部の下縁部にそれぞれ連結されたアンダーテープ相当部とを備え、前記肩ストラップ相当部又はカップ相当部の脇側上縁部近傍から脇側のバージスラインに沿うようにカップ相当部と脇部との間を湾曲しアンダーテープ相当部に至る第１線状領域、及び、第１線状領域がバージスラインに沿って湾曲している位置と脇部を挟んで第１線状領域と隔てられた位置のアンダーテープ相当部とを連結するように形成された第２線状領域から成る第１所定領域の編み組織の伸縮性が第１所定領域に隣接する領域の編み組織の伸縮性よりも低くなるように形成されていることを特徴とする。
【０００７】
本発明は、脇側バージスライン近傍に沿いアンダーテープ相当部に至る第１線状領域、及び、この第１線状領域の途中の所定位置から脇側後方へ分岐しアンダーテープ相当部に斜め方向から到達する第２線状領域から成る第１所定領域における伸縮性に特徴があるが、ここでの第１、第２線状領域は、換言すれば、請求項２のように、これら領域とアンダーテープ相当部とで略三角形を形成するように配置されている。即ち、図２（ａ）に示すように、第２線状領域２、第１線状領域１、及びアンダーテープ３は略三角形を形成する。また、第１線状領域は、換言すれば、請求項３のように脇側後方に凸の略円弧状に構成され、第２線状領域は、換言すれば、請求項４のように前記第１の領域の脇側最突出部近傍から脇側後方へ分岐するよう構成される。
【０００８】
また、第１線状領域１は、肩ストラップ相当部に連続し又はカップ相当部の脇側上縁部近傍を始点として形成されている。即ち、第１線状領域１は、肩ストラップ相当部の全体と一体に構成され又は肩ストラップ相当部の下端部近傍に連結されることで当該肩ストラップ相当部から連続したものであってもよいし、カップ相当部の脇側上縁部近傍を始点として形成されたものであってもよい。
【０００９】
このため、本発明に係るカップ付き女性用衣類を着用した状態では、図２（ｂ）のように第１線状領域１が内側上方へ引っ張られ、一方の第２線状領域２は第１線状領域１の途中の所定位置Ｐから脇側後方へ分岐しているので、第１線状領域１の所定位置Ｐより上側部分１Ａと下側部分１Ｂで構成される略円弧状ラインが直線になるのを防止し、バージスラインに沿った形で、図２（ｂ）の破線状態から実線状態へと変化する。下側部分１Ｂは、上記直線になろうとする力により引っ張られ、図２（ｃ）の状態に至る。
【００１０】
このとき、上記第１線状領域及び第２線状領域から成る第１所定領域の伸縮性が、その隣接領域の伸縮性よりも低くなるよう構成されているので、隣接領域よりも伸縮性が低い第１線状領域は隣接領域を牽引して全体を押し上げる働きをし、第２線状領域は第１線状領域の脇側最突出部近傍から脇側後方へ引く力を作用させて自然な丸みを維持する働きをする。
【００１１】
即ち、脇側バージスライン近傍に沿って配置された下側部分１Ｂは、図２（ｂ）に示すように破線状態から実線状態へ変化し矢印Ｑ方向に沿った張力及び脇側後方への張力が生じることで、矢印Ｒ方向にバストを内側上方向へ自然な丸みで寄せて上げる力が発生し、バストを内側上方向へ自然な丸みで寄せて上げることとなる。
【００１２】
このようなバスト寄せ上げ効果は、本発明に係るカップ付き女性用衣類の通常の着用状態で発揮されるが、さらに、第１線状領域及び第２線状領域の働き、並びに編み立て成型であることにより、腕を挙げたときにも、運動追従性が非常に良くバストの自然な丸みを維持することができる。
【００１３】
このように、ワイヤーを用いない編み立て成型のカップ付き女性用衣類において、バストの自然な寄せ上げ効果を奏するので、自然な着け心地を維持しつつバストを立体的に造形することが可能となる。
【００１４】
また、本発明に係るカップ付き女性用衣類では、請求項５のように、第２線状領域の伸縮性が第１線状領域の伸縮性よりも低くなるように構成することが望ましく、この場合、第１線状領域が内側上方へ引っ張られたときに第１線状領域が前中心側へ寄りすぎないように、当該第１線状領域よりも伸縮性が低い第２線状領域により抑止されるので、バストの自然な丸みを効果的に維持することができる。
【００１５】
また、本発明に係るカップ付き女性用衣類では、請求項６のように、第２線状領域に隣接するカップ脇部が、カップ上部に比べて伸縮性が低くなるよう構成することが望ましい。この場合、カップ上部がカップ脇部よりも伸縮性が高くなることで、バストを押し潰すといった従来の問題点を解消でき、バストを自然な丸みで造形補型することが可能となる。
【００１６】
なお、請求項７のように、第１所定領域及びアンダーテープ相当部に囲まれた第２所定領域の編み組織は、第１所定領域に隣接する領域のうち第２所定領域を含まない領域の編み組織よりも伸縮性が低くなるように形成されるものとしてもよい。この囲まれた略３角形の領域が第１、第２線状領域と同様の低い伸縮性の領域である場合も、図２（ａ）に示す第１線状領域１の上側部分１Ａと第２線状領域２とで形成されるラインが直線になろうとし、その直線になろうとする力により下側部分１Ｂが引っ張られる作用は維持できるので、上記同様に、下側部分１Ｂに矢印Ｑ方向に沿って張力が生じ、矢印Ｒ方向にバストを内側上方向へ寄せて上げる力が発生する、という効果を奏する。
【００１７】
【発明の実施の形態】
以下、添付図面を参照しながら、本発明に係るカップ付き女性用衣類の実施形態として、ブラジャーの例を説明する。なお、同一の要素には同一の符号を付し、重複する説明を省略する。
【００１８】
［本実施形態の構成］
図１は、本実施形態に係る編み立てタイプのブラジャー１０の基本構成を示す斜視図である。この図１に示すように、ブラジャー１０は、丸編みタイプであり、図１に実線で示す布同士の境界線で編み組織を切り替えることで、上カップ布部５、下カップ布部４、上端布部６、バック布部８、肩ストラップ相当部７、アンダーテープ相当部３、後述する寄せ上げ機能部１及び略円弧状ライン維持機能部２が形成されている。もちろん、これらはそれぞれ左右一対設けられ、左右対称に構成されている。
【００１９】
本実施形態で特徴的なことは、カップ脇側に、隣接領域に対し伸縮性の低い寄せ上げ機能部１及び略円弧状ライン維持機能部２が形成されたことである。即ち、寄せ上げ機能部１は、肩ストラップ相当部７の前側端部から上端布部６を抜けバージスラインに沿いアンダーテープ相当部３に至る所定幅の領域に形成され、脇側後方に凸の略円弧状となっている。略円弧状ライン維持機能部２は、寄せ上げ機能部１の中間の所定位置Ｐから脇側後方へ分岐しアンダーテープ相当部３に斜め方向から到達する所定幅の領域に形成されている。また、図１より明らかなように、寄せ上げ機能部１の所定位置Ｐより下方部分１Ｂ、略円弧状ライン維持機能部２及びアンダーテープ相当部３は略三角形を形成するように配置されている。また、寄せ上げ機能部１及び略円弧状ライン維持機能部２とその隣接する領域とで丸編み素材において編み組織を切り替えることにより、寄せ上げ機能部１及び略円弧状ライン維持機能部２の伸縮性が、隣接する下カップ布部４、上端布部６、バック布部８の伸縮性よりも低くなるよう構成されている。
【００２０】
また、図３に示すように、カップ周辺の伸縮性について、寄せ上げ機能部１が最も低く、カップ中心へ向かって段階的に高くなっていることも特徴である。即ち、上カップ布部５をフロート編みとし、下カップ布部４及び上端布部６をリブ編みとし、寄せ上げ機能部１をループタック編みとすることで、寄せ上げ機能部１、下カップ布部４及び上端布部６、上カップ布部５の順に伸縮性が高くなるよう構成している。このうち寄せ上げ機能部１については縦方向、横方向ともに伸縮性を低くしているが、縦方向は横方向に比べ少し伸縮性を持たせることで、着用感を良くしている。
【００２１】
なお、上記のような伸縮性の差異を設けるためには、丸編み素材以外では、例えば、ジャガードラッセル編みによる編組織切替、ジャガードトリコット編みによる編組織切替等を採用してもよい。
【００２２】
［本実施形態の作用］
本実施形態は上記の特徴的な構成を有するため、以下の作用・効果を奏する。
【００２３】
ブラジャー１０の通常の着用状態において、隣接領域よりも伸縮性が低い寄せ上げ機能部１が図２（ｂ）のように上方へ引っ張られ、略円弧状ライン維持機能部２がこの寄せ上げ機能部１の途中の所定位置Ｐから分岐しているので、この略円弧状ライン維持機能部２も上方へ引っ張られる。
【００２４】
ここで、寄せ上げ機能部１は脇側後方に凸の略円弧状となっており、略円弧状ライン維持機能部２は寄せ上げ機能部１とは逆に脇側後方に分岐しているので、上記の引っ張りにより、寄せ上げ機能部１は直線になろうとし、略円弧状ライン維持機能部２はそれを防止しようとし、図２（ｂ）の破線状態から実線状態へと変化する。このとき、寄せ上げ機能部１には強い「直線になろうとする力」が発生している。また、寄せ上げ機能部１の伸縮性が、その隣接領域（下カップ布部４、上端布部６、バック布部８）の伸縮性よりも低いので、当該寄せ上げ機能部１は隣接領域（下カップ布部４、上端布部６、バック布部８）を牽引して全体を押し上げる働きをし、略円弧状ライン維持機能部２は脇側最突出部近傍から脇側後方へ引く力が働き自然な丸みを維持する働きをする。
【００２５】
下側部分１Ｂは、上記直線になろうとする強い力により引っ張られ、図２（ｃ）の状態に至る。即ち、バージスラインに沿って配置された下側部分１Ｂは、図２（ｂ）に示すように破線状態から実線状態へ変化し矢印Ｑ方向に沿って張力が生じることで、矢印Ｒ方向にバストを内側上方向へ寄せて上げる力が発生し、バストを内側上方向へ寄せて上げることとなる。
【００２６】
このように、ワイヤーを用いない編み立て成型のカップ付き女性用衣類において、バストの自然な寄せ上げ効果を奏するので、自然な着け心地を維持しつつバストを立体的に造形することが可能となる。
【００２７】
また、第２の特徴として、図３のように、カップ周辺を、カップ脇からカップ中心へ向かって伸縮性が段階的に高くなるよう構成したので、伸縮性の低い下側部分１Ｂによりバストを寄せて上げる効果を維持しつつ、カップ中心へ向かって伸縮性が高くなることで、バストを押し潰すといった従来の問題点を解消でき、バストを自然な丸みで造形補型することが可能となる、という利点がある。
【００２８】
なお、図１の実施形態の変形例を図１０、図１１に示す。図１０は、寄せ上げ機能部１及び略円弧状ライン維持機能部２（図１）とアンダーテープ相当部３とで囲まれた領域も、寄せ上げ機能部１及び略円弧状ライン維持機能部２と同じ編み組織とした構成例であり、図１１は、寄せ上げ機能部１及び略円弧状ライン維持機能部２とアンダーテープ相当部３とで囲まれた領域Ｔを略半円状とした構成例である。いずれも上記同様、脇側バージスライン及び脇側後方に張力が働き、バストを内側上方向へ自然な丸みで寄せて上げる力が発生するという効果を奏する。
【００２９】
［各種の適用例について］
本発明は、上記丸編みタイプのブラジャーだけでなく、図１２〜図１４に示すジャガードラッセルのブラジャーにも適用可能である。以下、ジャガードラッセルのブラジャーについて説明する。なお、図１２はジャガードラッセルのブラジャーの構成を示す斜視図であり、図１３は裁断前の素材図であり、図１４は縫合前の展開図である。
【００３０】
図１２のブラジャー１０Ｊはジャガードラッセル編機によって、ジャガードおさを制御することによって、地編みの表側に現れる編組織を曲線状パターンに編んで製作する。例えば、寄せ上げ機能部１及び略円弧状ライン維持機能部２は、伸縮性の低いサテン編み組織とし、これにより、引き上げ機能及び略円弧状ライン維持機能を持たせている。アンダーテープ相当部３は、寄せ上げ機能部１及び略円弧状ライン維持機能部２に比べ伸縮性の高いサテン編み組織としている。
【００３１】
また、下カップ布部４、上端布部６、肩ストラップ相当部７は、伸縮性の低いメッシュ編み組織（サテン編み組織に比べ伸縮性が高い）としている。これにより、特に、カップの下部から脇側に至る下カップ布部４は、バストの膨らみに追随すると同時にバストを支える機能を持たせている。
【００３２】
また、バストの上方に当接した上カップ布部５は、下カップ布部４等よりも伸縮性の高いメッシュ編み組織とすることで、ブラジャー１０Ｊの中で最も伸縮性が高い部分を形成し、バストの膨らみに容易に追随できるようにしている。
【００３３】
さらに、ブラジャー１０Ｊでは、上記のような編組織を変化させる以外に、弾性糸を挿入本数や糸の太さを変化させることによっても、伸縮性に差異を設けている。即ち、図１２〜図１４におけるブラジャー１０Ｊの下部に相当する領域Ｃ及びストラップ相当部７を含むブラジャー１０Ｊの上部に相当する領域Ａには、１４０デニールの弾性糸を２本挿入することで、伸縮性を低くしている。ブラジャー１０Ｊの中間部に相当する領域Ｂには１４０デニールの弾性糸を１本挿入することで、領域Ｃ、Ａよりも伸縮性を高くしている。
【００３４】
図１３に示すように、生地幅Ｄの範囲内でブラジャー１０Ｊを３列分裁断している。この３列は素材の編み立て方向に沿って連続する（即ち、幅Ｅのブラジャー１０Ｊが連続的に裁断される）。
【００３５】
図１４に示すように、ジャガードラッセルでは、ストラップ相当部７を形成するために端部Ｊ３と端部Ｊ４とを縫合し、端部Ｊ５と端部Ｊ６とを縫合するが、それ以外には、後ろ中心に相当する端部Ｊ１と端部Ｊ２とを縫合するだけである。このように脇部分は縫合しないことにより、脇部分の第１、第２の領域の働きを阻害することなく、バストの寄せ上げ効果を有効に発揮することができる。
【００３６】
なお、丸編みによるもの、ジャガードラッセルによるもの、共に、ブラジャーであれば、１枚の素材のみで形成可能であり、縫合箇所が最小限の箇所ですむので、着用時の肌触りがよくなるという利点がある。
【００３７】
ところで、本発明はブラジャー以外にも、さまざまなカップ付き女性用衣類に適用可能である。そこで、各種の適用例を示す。
【００３８】
図４〜図６は、上記図１のブラジャーと同様の構成のカップ部分を有する各種のカップ付き女性用衣類の構成を示しており、寄せ上げ機能部を斜線部のように形成することができる。即ち、図１の構成は、図４のような袖無しタイプの衣類４０（例えば水着やレオタード等）にも、図５のような長袖タイプの衣類５０（例えばボディスーツやレオタード等）にも、図６のような半袖タイプの衣類６０にも、それぞれ適用可能である。
【００３９】
また、図７、図８に示すようにカップ上端部にレース等を用いて装飾性を高めたカップ付き女性用衣類についても、本発明は適用できる。即ち、図７のようなボディテディ７０にも、図８のようなブラキャミソール８０にもそれぞれ、寄せ上げ機能部を斜線部のように形成可能であり、その他、本発明はボディスーツ、水着、レオタード、ブラスリップ等にも適用可能である。
【００４０】
なお、寄せ上げ機能部１の上端部が肩ストラップ相当部７の前側端部まで到達していることは必須ではなく、通常の着用状態で寄せ上げ機能部１に対し上方への力がかかり、「直線になろうとする力」が発生する構成であればよい。例えば、寄せ上げ機能部１の上端部が上端布部６の上部近傍まで到達した構成であってもよい。
【００４１】
また、図９に示すように、寄せ上げ機能部１及び略円弧状ライン維持機能部２は、直線を組み合わせた逆Ｙ字状の形状であってもよい。即ち、略円弧状ライン維持機能部２が寄せ上げ機能部１の上側部分１Ａに対し点Ｐで外側に直線状に屈曲しており且つ直線状の下側部分１Ｂがバストの脇下側部に配置されていれば、平面状態では直線を組み合わせた逆Ｙ字状であっても、着用状態では下側部分１Ｂが脇側後方に凸の略円弧状態となり、上記同様の作用・効果を奏することができる。
【００４２】
【発明の効果】
以上説明したように、本発明によれば、通常の着用状態において、隣接領域よりも伸縮性が低い第１線状領域が内側上方へ引っ張られて直線になろうとし、第２線状領域はそれを防止しようとするので、第１線状領域は隣接領域を牽引して全体を押し上げる働きをし第２線状領域は第１線状領域の脇側最突出部近傍から脇側後方へ引く力を作用させて自然な丸みを維持する働きをすることで、バストを内側上方向へ自然な丸みで寄せて上げる力が発生し、ワイヤーを用いない編み立て成型のカップ付き女性用衣類において、自然な着け心地を維持しつつバストを立体的に造形することが可能となる。
【図面の簡単な説明】
【図１】発明の実施形態のブラジャーの構成を示す図である。
【図２】（ａ）は着用者が挙手する前の寄せ上げ機能部の状態を示す図であり、（ｂ）は着用者が挙手したときの寄せ上げ機能部の移動状況を示す図であり、（ｃ）は着用者が挙手した後の寄せ上げ機能部の状態を示す図である。
【図３】伸縮性がカップ周辺からカップ中心へ向かって段階的に高くなっている構成を示す図である。
【図４】図１のブラジャーと同様の構成のカップ部分を有する袖無しタイプのカップ付き女性用衣類の構成を示す図である。
【図５】図１のブラジャーと同様の構成のカップ部分を有する長袖タイプのカップ付き女性用衣類の構成を示す図である。
【図６】図１のブラジャーと同様の構成のカップ部分を有する半袖タイプのカップ付き女性用衣類の構成を示す図である。
【図７】本発明が適用されたボディテディの構成を示す図である。
【図８】本発明が適用されたブラキャミソールの構成を示す図である。
【図９】寄せ上げ機能部の形状の変形例を示す図である。
【図１０】寄せ上げ機能部とアンダーテープ相当部とで囲まれた領域を寄せ上げ機能部と同じ編み組織とした構成例を示す図である。
【図１１】寄せ上げ機能部とアンダーテープ相当部とで囲まれた領域を略半円状とした構成例を示す図である。
【図１２】ジャガードラッセルのブラジャーの構成を示す斜視図である。
【図１３】ジャガードラッセルのブラジャーの裁断前の素材図である。
【図１４】ジャガードラッセルのブラジャーの縫合前の展開図である。
【符号の説明】
１、２…寄せ上げ機能部、３…アンダーテープ相当部、４…下カップ布部、５…上カップ布部、６…上端布部、７…肩ストラップ相当部、８…バック布部、１０、１０Ｊ…ブラジャー
【図１】
0004377083.tif 000002
【図２】
0004377083.tif 000003
【図３】
0004377083.tif 000004
【図４】
0004377083.tif 000005
【図５】
0004377083.tif 000006
【図６】
0004377083.tif 000007
【図７】
0004377083.tif 000008
【図８】
0004377083.tif 000009
【図９】
0004377083.tif 000010
【図１０】
0004377083.tif 000011
【図１１】
0004377083.tif 000012
【図１２】
0004377083.tif 000013
【図１３】
0004377083.tif 000014
【図１４】
0004377083.tif 000015